(57)【要約】      （修正有）【課題】光の照射範囲が広い自動車用灯具を提供する。【解決手段】ＬＥＤバルブ１は、保持ホルダー３と、保持ホルダーにおける車両前後方向の前側に設けられたＬＥＤモジュール５と、を備えている。ＬＥＤモジュールの側部にはＬＥＤ保持部２９が形成され、ＬＥＤ保持部にＬＥＤチップ３３が取り付けられている。ＬＥＤ保持部は開口部３１を有し、開口部の内方にＬＥＤチップが収容されており、開口部３１は、ＬＥＤモジュールを側方から見たときに円形に形成されている。【選択図】図１
0003209769.tif 000002
【実用新案登録請求の範囲】
【請求項１】
保持ホルダーと、前記保持ホルダーにおける車両前後方向の前側に設けられたＬＥＤモジュールと、を備え、前記ＬＥＤモジュールの側部にはＬＥＤ保持部が形成され、前記ＬＥＤ保持部にＬＥＤチップが取り付けられた自動車用灯具であって、
前記ＬＥＤモジュールのＬＥＤ保持部は開口部を有し、前記開口部の内方に前記ＬＥＤチップが収容されており、
前記ＬＥＤモジュールの開口部は、前記ＬＥＤモジュールを側方から見たときに円形に形成されていることを特徴とする自動車用灯具。
【請求項２】
請求項１に記載の自動車用灯具であって、
前記ＬＥＤチップは、前記ＬＥＤモジュールを側方から見たときに円形に形成され、前記ＬＥＤチップの径方向中心とＬＥＤモジュールの開口部の径方向中心とが一致して配置され、
前記ＬＥＤチップの外周と前記ＬＥＤモジュールの開口部の内周との離間距離は、前記ＬＥＤチップの全周に亘って一定になるように構成されていることを特徴とする自動車用灯具。
【請求項３】
請求項１または２に記載の自動車用灯具であって、
前記ＬＥＤモジュールは車両前後方向に沿って長尺状に延在し、
前記ＬＥＤチップおよび開口部は、前記ＬＥＤモジュールの長手方向に沿って複数配置されていることを特徴とする自動車用灯具。
【考案の詳細な説明】
【技術分野】
【０００１】
本考案は、ＬＥＤチップを光源に用いた自動車用灯具に関する。
【背景技術】
【０００２】
従来から、自動車の前部には自動車用灯具が配設されており、近年は、高輝度のＬＥＤチップを光源として用いているものがある（例えば、特許文献１参照）。前記特許文献１に記載された自動車用灯具にはＬＥＤ保持部が設けられ、このＬＥＤ保持部には開口部（穿孔１００）が形成され、前記開口部の内方にＬＥＤチップが配置されている。
【先行技術文献】
【特許文献】
【０００３】
【特許文献１】実用新案登録第３１９７６５７号公報
【考案の概要】
【考案が解決しようとする課題】
【０００４】
しかし、前記特許文献１に記載されたＬＥＤ保持部の開口部は、矩形状に形成されている。このため、光源のＬＥＤチップから発せられた光は、開口部の内周側の角部で遮光されてしまい、光の照射範囲が狭くなるという問題があった。
【０００５】
そこで、本考案は、光の照射範囲が広い自動車用灯具を提供することを目的としている。
【課題を解決するための手段】
【０００６】
本考案に係る自動車用灯具は、保持ホルダーと、前記保持ホルダーにおける車両前後方向の前側に設けられたＬＥＤモジュールと、を備え、前記ＬＥＤモジュールの側部にはＬＥＤ保持部が形成され、前記ＬＥＤ保持部にＬＥＤチップが取り付けられた自動車用灯具である。前記ＬＥＤモジュールのＬＥＤ保持部は開口部を有し、前記開口部の内方に前記ＬＥＤチップが収容されており、前記ＬＥＤモジュールの開口部は、前記ＬＥＤモジュールを側方から見たときに円形に形成されていることを特徴とする。
【考案の効果】
【０００７】
本考案に係る自動車用灯具によれば、光源のＬＥＤチップから発せられた光は、開口部の内周側の角部で遮光されてしまうため、光の照射範囲の大きさが開口部の内周側の角部に応じて設定される。ここで、本発明では、ＬＥＤモジュールを側方から見たときに開口部が円形に形成されている。従って、開口部が矩形に形成された場合と比較すると、本発明の方がＬＥＤチップと開口部の内周との離間距離が大きくなる。以上より、本発明では、光源のＬＥＤチップから発せられる光の照射範囲が拡大する。
【図面の簡単な説明】
【０００８】
【図１】本考案の第１実施形態に係るＬＥＤバルブを示す斜視図である。
【図２】図１を左側から見た側面図である。
【図３】図２のＡ−Ａ線による断面図である。
【図４】図３の要部を拡大した断面図である。
【図５】本考案の第２実施形態に係るＬＥＤバルブを示す斜視図である。
【図６】図５を車幅方向の右側から見た側面図である。
【考案を実施するための形態】
【０００９】
以下、本考案の実施の形態を図面に基づき説明する。なお、図面において、車両前方側をＦＲ、後方側をＲＲ、上方側をＵＰ、下方側をＬＷとして示す。
【００１０】
[第１実施形態]
図１〜図４に示すように、第１実施形態に係る車両用のＬＥＤバルブ１（自動車用灯具）は、保持ホルダー３と、保持ホルダー３における車両前後方向の前側に設けられたＬＥＤモジュール５と、を備えている。保持ホルダー３は、車両後方側に配置されたヒートシンク７と、ヒートシンク７の前側に設けられた係止部９と、を備えている。
【００１１】
ヒートシンク７は、左右方向の水平状に延びる複数の冷却フィン１１を有する。これらの冷却フィン１１により放熱が促進される。
【００１２】
係止部９は、径方向中央部分に配置されて前後方向に延びる配線部１３と、配線部１３の径方向の外側に配置される円筒部１５と、外周面１７の外側に配置されたＯリング１９、リング材２１およびシール材２３と、から構成されている。外周面１７には、断面半円状の凹溝が形成され、凹溝にはＯリング１９が嵌合されている。外周面１７およびＯリング１９の外周側には、円筒状のリング材２１が嵌合されている。リング材２１の後部には、径方向外側に突出する断面コ字状の係止溝が設けられている。シール材２３の後部は径方向内側に延びる突出部が係止溝に嵌め込まれている。リング材２１の前部には、径方向外側に向けて突出する係止片２５がリング材２１の周方向に沿って所定間隔をおいて複数形成されている。これらの係止片２５は、径方向外側に向けて延びる板状部材であり、図示しない受金に係合する。具体的には、口金である係止部９を受金に組み付けたとき、係止片２５の後方側の背面が受金に当接する。
【００１３】
ＬＥＤモジュール５は、前後方向に延在する長尺状部材である。ＬＥＤモジュール５における側部には、ＬＥＤモジュール５の径方向中心に向けて凹む凹部の底面となる平坦面２７が形成され、平坦面２７にＬＥＤ保持部２９が形成されている。具体的には、ＬＥＤ保持部２９は、前後方向かつ上下方向に延在する平坦面２７と平坦面２７の中央部分に形成された開口部３１（穿孔）とから構成される。開口部３１の内周面３１ａは、側方から見たときに円形に形成されており、開口部３１の内方にＬＥＤチップ３３が配置されている。なお、図２に示す配線２０は、配線部１３に接続されている。ＬＥＤチップ３３は、半球状に形成されているため、ＬＥＤチップ３３の外周縁も、側方から見たときに円形に形成される。開口部３１の径方向中心ＣとＬＥＤチップ３３の径方向中心Ｃとが同一位置に配置されているため、ＬＥＤチップ３３の外周縁と開口部３１の内周面３１ａとの離間距離は、ＬＥＤチップ３３の全周に亘って一定になる。即ち、ＬＥＤチップ３３の外周縁と開口部３１の内周面３１ａとは、側方から見た場合に同心円になる。なお、ＬＥＤモジュール５において、平坦面２７の前側および後側には、径方向外側に突出する膨出部３５が形成され、平坦面２７の上側および下側には、径方向外側に向けて延びる傾斜面３７が形成されている。
【００１４】
また、ＬＥＤバルブ１の全体は、左右一対の分割体同士が結合されて構成されている。具体的には、各々の分割体４０，４１には、前部および後部に挿通孔４２が形成され、ボルトＢＬを介して左右一対の分割体４０，４１を締結している。
【００１５】
図４に示すように、導電板４３は配線部１３に接続されており、導電板４３の上に支持板４５が配設され、支持板４５の上にＬＥＤチップ３３が結合されている。図４に示すように、ＬＥＤチップ３３から発せられた光は、開口部３１の角部で遮光される。ここで、本実施形態では開口部３１が円形に形成されているため、開口部が矩形に形成された場合と比較すると、ＬＥＤチップ３３と開口部３１の内周との離間距離が大きくなる。よって、発光範囲の前縁Ｌ（Ｆｒ）と後縁Ｌ（Ｒｒ）とのなす照射角度θを大きく設定することができる。
【００１６】
以下に、本実施形態による作用効果を説明する。
【００１７】
（１）本実施形態に係るＬＥＤバルブ１は、保持ホルダー３と、保持ホルダー３における車両前後方向の前側に設けられたＬＥＤモジュール５と、を備え、ＬＥＤモジュール５の側部にはＬＥＤ保持部２９が形成され、ＬＥＤ保持部２９にＬＥＤチップ３３が取り付けられた自動車用灯具である。ＬＥＤモジュール５のＬＥＤ保持部２９は開口部３１を有し、開口部３１の内方にＬＥＤチップ３３が収容されており、ＬＥＤモジュール５の開口部３１は、ＬＥＤモジュール５を側方から見たときに円形に形成されている。
【００１８】
光源のＬＥＤチップ３３から発せられた光は、開口部３１の内周側の角部で遮光されてしまうため、光の照射範囲の大きさが開口部３１の内周側の角部によって設定される。ここで、第１実施形態では、ＬＥＤモジュール５を側方から見たときに開口部３１が円形に形成されている。従って、開口部が矩形に形成された場合と比較すると、第１実施形態の方がＬＥＤチップ３３と開口部３１の内周との離間距離が大きくなる。以上より、本実施形態では、光の照射範囲が拡大する。
【００１９】
（２）ＬＥＤチップ３３は、ＬＥＤモジュール５を側方から見たときに円形に形成され、ＬＥＤチップ３３の径方向中心ＣとＬＥＤモジュール５の開口部３１の径方向中心Ｃとが一致して配置され、ＬＥＤチップ３３の外周とＬＥＤモジュール５の開口部３１の内周との離間距離は、ＬＥＤチップ３３の全周に亘って一定になるように構成されている。
【００２０】
従って、ＬＥＤチップ３３の外周部分において上下左右のいずれの部位に対しても均等に発光することができる。
【００２１】
[第２実施形態]
次いで、第２実施形態に係る自動車用のＬＥＤバルブ１０１（自動車用灯具）について説明するが、第１実施形態と同一構造の部位には同一符号を付けて、説明を省略する。
【００２２】
図５，６に示すように、第２実施形態に係る自動車用のＬＥＤバルブ１０１（自動車用灯具）は、保持ホルダー１０３と、保持ホルダー１０３における車両前後方向の前側に設けられたＬＥＤモジュール１０５と、を備えている。保持ホルダー１０３は、車両後方側に配置されたヒートシンク１０７と、ヒートシンク１０７の前側に設けられた係止部１０９と、を備えている。
【００２３】
ヒートシンク１０７は、左右方向の水平状に延びる複数の冷却フィン１１を有する。これらの冷却フィン１１により放熱が促進される。
【００２４】
係止部１０９の外周面には、後側シール１５１、キャップ１５３および前側シール１５５が嵌合される。後側シール１５１および前側シール１５５は、円環状に形成されたゴム製部材である。キャップ１５３は、前側に配置される円盤部１５７と、円盤部１５７の外周縁で屈曲して後方側に延びる筒部１５９と、筒部１５９の後端で屈曲して外周側に拡径される延設フランジ１６１と、筒部１５９の後端で屈曲して外周側に突出する複数の係止片１６３と、から一体に形成されている。円盤部１５７の中央には、円形の挿通孔が形成されており、挿通孔を介してキャップ１５３が係止部１０９の外周面に嵌合されている。また、キャップ１５３の前後を後側シール１５１と前側シール１５５とで挟むことにより、キャップ１５３は係止部１０９に保持される。
【００２５】
ＬＥＤモジュール１０５における側部には、ＬＥＤモジュール１０５の径方向中心に向けて凹む凹部の底面となる平坦面２７が形成され、平坦面２７にＬＥＤ保持部２９が形成されている。具体的には、ＬＥＤ保持部２９は、前後方向かつ上下方向に延在する平坦面２７と平坦面２７の中央部分に形成された２つの開口部１３１，１３２（穿孔）とから構成される。これらの開口部１３１，１３２は、前後に２つ連続して形成される。具体的には、後側の開口部１３１および前側の開口部１３２は、各々円形状に形成され、後側の開口部１３１の前端部分と前側の開口部１３２の後端部分とが重なって（繋がって）８の字状に形成されている。後側の開口部１３１の中央と前側の開口部１３２の中央にＬＥＤチップ１３３，１３４がそれぞれ配置されている。即ち、ＬＥＤチップ１３３の外周縁と開口部１３１の内周面１３１ａとは、側方から見た場合に同心円になる。ＬＥＤチップ１３４の外周縁と開口部１３２の内周面１３２ａとは、側方から見た場合に同心円になる。また、前側の開口部１３２の径方向中心Ｃ２は、後側の開口部１３１の径方向中心Ｃ１よりも前方かつ上方の斜め上方側に配置される。同様に、前側のＬＥＤチップ１３４の径方向中心Ｃ２は、後側のＬＥＤチップ１３３の径方向中心Ｃ１よりも前方かつ上方の斜め上方側に配置される。なお、前側のＬＥＤチップ１３４の下側には、側方に突出する遮光部材１５０が配設されている。遮光部材１５０は、前後方向に細長い平面状に延びる底面部と、底面部の周縁で屈曲して上方に延びる縦面部とから一体形成されている。
【００２６】
以下に、本実施形態による作用効果を説明する。
【００２７】
（１）ＬＥＤモジュール１０５は車両前後方向に沿って長尺状に延在し、ＬＥＤチップ１３３，１３４および開口部１３１，１３２は、ＬＥＤモジュール１０５の長手方向に沿って複数配置されている。
【００２８】
従って、所望する個数分だけＬＥＤチップ１３３，１３４を配置することにより、光の輝度を大きくすることができる。
【００２９】
なお、前述した第２実施形態では、ＬＥＤチップおよび開口部を２つ配設したが、３つ以上設けてもよい。
【符号の説明】
【００３０】
１  ＬＥＤバルブ（自動車用灯具）
３  保持ホルダー
５  ＬＥＤモジュール
２９  ＬＥＤ保持部
３１  開口部
３３  ＬＥＤチップ
１０５  ＬＥＤモジュール
１３１，１３２  開口部
１３３，１３４  ＬＥＤチップ
【図１】
0003209769.tif 000003
【図２】
0003209769.tif 000004
【図３】
0003209769.tif 000005
【図４】
0003209769.tif 000006
【図５】
0003209769.tif 000007
【図６】
0003209769.tif 000008